(57)【要約】【課題】  流動層燃焼炉内に配列するボイラ伝熱管まわりの灰落とし用で、長さ調整が容易な多段ポール式灰落とし器を提供する。【解決手段】  本灰落とし器は、順に径が大きくなる管でなり順に小径管が大径管内に引き出し／戻し自在に構成した第１〜４延長ポール５〜８及び固定ポール９と、最小径の第１延長ポール５先端に取り付けたノズル（図示なし）と、該ノズルに接続し延長ポールから固定ポールを通って延びる圧縮エア供給用エアホース４と、固定ポール９先端部外径に固定された位置決め金具１１の外周４等分の位置から前方にすぼむよう延びる４個の板バネ１２とから構成し、板バネ６により固定ポール９から引き出した延長ポールを押さえる位置で引き出し長を決める。【選択図】        図３
2005077000.tif 000002
【特許請求の範囲】
【請求項１】
燃焼炉の流動層中に配列するボイラ伝熱管まわりの灰を落とす灰落とし器であって、順に径が大きくなる複数の管からなりかつ該複数の管のうち小径管が大径管内に順に引き出し／戻し自在に挿入される複数の延長ポールと、該複数の延長ポールを収納しかつ該複数の延長ポールのうち最大径の延長ポールが引き出し／戻し自在に挿入される固定ポールと、前記複数の延長ポールのうち最小径の延長ポール先端に取り付けたノズルと、該ノズルに接続し前記複数の延長ポールから前記固定ポールを通って延びる圧縮エア供給用エアホースと、前記固定ポール先端部外径に固定された位置決め金具の外周で複数等分の位置から前方に互いにすぼむように延びる複数の板バネと、前記固定ポールの後端に前記エアホースをクランプする留め金具とから構成し、前記固定ポールから繰り出した前記延長ポールのうち前記固定ポールに最寄りの延長ポールを前記板バネの先端部により挟持することを特徴とする多段ポール式灰落とし器。
【発明の詳細な説明】
【技術分野】
【０００１】
本発明は、燃焼炉の流動層内に設置されるボイラ管群中の灰を圧縮エアにより落とすための器具に係り、特に容易に長さ調節できる多段ポール式灰落とし器に関する。
【背景技術】
【０００２】
流動層ボイラのメンテナンス上、流動層中にある管群の灰落としが必要となったが、この灰落とし作業にそのまま適用できる構造のエア器具は見当たらなかった。従来のエア器具はエアを先端から噴出する導管の長さが固定されているため、配列する管群の中の近い場所から遠い場所まで全域をカバーすることができなかった。例えば長い導管を有するエア器具を用いて管群の中の近い場所の灰落とし作業を行う場合、エア器具の後端部分が流動層燃焼炉の天井あるいは横壁にあたるため、作業ができないという問題があった。
【０００３】
従来、人手で操作するエア器具として、圧縮エアを吹き出す導管を保持するとともに圧縮エアのホースを接続する口及び圧縮エアの通路を開閉する引き金を有するホルダからなるエアーダスタや同じくブローガン(商品名で共にトラスコ中山製)がある。これらの製品では、導管は定尺物である。(例えば非特許文献１参照)
また、管の長さを調整するものとして、のぼり竿やモップ等に用いられる伸縮パイプがある。この伸縮パイプは、大径パイプと該大径パイプ内に挿入された小径パイプと両パイプを相互位置決めするロック手段とからなる。ロック手段は、軸方向にスリットを設けたスリーブとそのスリーブ外周をネジ締めする操作筒とからなる。
【０００４】
【特許文献１】特開平８−１７０６１３号公報(第２頁、図１)
【非特許文献１】大幸産業総合カタログ、オレンジブック２００３、p.７３６
【発明の開示】
【発明が解決しようとする課題】
【０００５】
しかし、上記技術では、流動層内に設置された管群の上部の灰落としを行うのに必要な長さのもの、例えばブローガンを選定した場合、エア導管が一定長さのため、それが長すぎてノズルと反対側が,流動層燃焼炉の天井や壁に干渉し、使用できないという問題があった。また従来、構造材として用いられる伸縮パイプはあったが、これは、圧縮エアの供給について考慮されておらず、またパイプの伸縮はネジの緩め・締め作業により行うため、多くのパイプを接続した場合には作業がわずらわしく、上記灰落とし作業に用いるには不満足なものであった。
【０００６】
本発明の課題は、上記の問題、不満足な点を解決するために、長さ調整量が大きく、かつ長さを容易に調整できる多段ポール式の灰落とし器を提供することにある。
【課題を解決するための手段】
【０００７】
上記課題を解決するために、本発明の多段ポール式灰落とし器は、燃焼炉の流動層中に配列するボイラ伝熱管まわりの灰を落とすために、順に径が大きくなる複数の管からなりそれらの管のうち小径管が大径管内に順に引き出し／戻し自在に挿入される複数の延長ポールと、これら延長ポールを収納しかつ最大径の延長ポールが引き出し／戻し自在に挿入された固定ポールと、最小径の延長ポール先端に取り付けたノズルと、該ノズルに接続し複数の延長ポールから固定ポールを通って延びる圧縮エア供給用エアホースと、固定ポール先端部外径に固定された位置決め金具の外周で複数等分の位置から前方に互いにすぼむよう延びる複数の板バネと、固定ポールの後端にエアホースをクランプする留め金具とから構成し、固定ポールから繰り出した延長ポールのうち固定ポールに最寄りのポールを板バネの先端部により挟持することを特徴とする。
【０００８】
この多段ポール式灰落とし器の長さを調整するには、まずエアホースを留め金具からはずし、延長ポールを所望の長さまで固定ポールから引き出す。位置バネは自動的に引き出された状態で延長ポールを拘束する。そしてエアホースを留め金具によりクランプする。かくして多段ポール式灰落とし器は所望の長さに固定される。
【０００９】
また上記多段ポール式灰落とし器においては、複数の延長ポールのうち最小径の延長ポールにはその後端に末広がり状の縁部を設け、最小径の延長ポールより他の延長ポールにはその前端に先細り上の縁部をその後端に末広がり状の縁部を設け、固定ポールの前端に先細り上の縁部を設けることが好ましい。このように延長ポール端に縁部を設け、隣接する２つの延長ポールを係合させることにより、小径から大径の延長ポールを順に引き出すことができる。
【発明の効果】
【００１０】
本発明によれば、多段ポール式灰落とし器を固定ポール内に収納した複数の延長ポールを順に繰り出すように構成したので、複数の延長ポールを固定ポール内に収納した状態の長さのわりに、長さの調整量を大きくすることができ、かつ板バネにより固定ポールから繰り出した最寄りの延長ポールを挟持して調整長さを任意に設定できるため、流動層燃焼炉の天井や壁に干渉することなく流動層中に設置された伝熱管群の中にノズルを入れることができ、ノズルから噴射する圧縮エアにより伝熱管まわりの灰を落とすことができる。
【発明を実施するための最良の形態】
【００１１】
以下、本発明の最良の実施形態である多段式灰落とし器について図面を用いて説明する。図１は実施形態の多段ポール式灰落とし器の全体構成を示す外観図、図２は灰落とし器のエア吹出し部分の構造を示す図、図３は灰落とし器の多段ポール及びポールのクランプの構造を示す図、図４は図３のＡ−Ａ矢視図、図５は多段ポールの接続構造を説明する図である。
【００１２】
本発明による多段ポール式灰落とし器は、流動層ボイラの燃焼炉に設置された伝熱管まわりにある灰を落とすために用いられるもので、ポール先端のノズル部から吹き出す圧縮エアが、流動層内に配列された伝熱管のいずれの位置にもとどくように、ポールを伸縮するように構成したことに特徴がある。
【００１３】
本実施形態の多段ポール式灰落とし器は、大別すると、図１に示すように、圧縮エアを吹き出すノズル部Ａと、ノズル部を先端に取付けて伸縮する延長ポール部Ｂと、延長ポール部を収納する固定ポール部Ｃと、延長ポール部を引き出した長さの状態で固定するポール位置決め部Ｄとからなる。
【００１４】
ノズル部Ａ（ノズルに相当）は、図２に示すように、四方に圧縮エアを吹き出す口を形成したノズルチップ１と、ノズルチップ１を保持するノズルボディ２と、チップ-ボディ間をシールするＯリング３とからなり、ノズルボディ２の後部を形成する継ぎ手２ａにはエアホース４が接続される。ノズルチップ１は、その外径に形成されたネジをノズルボディ２の内径前部に形成されたネジに捩じ込んで、ノズルボディ２に固定する。そして、ノズルボディ２後部と第１延長ポール５（次節で説明する）の先端はスリーブ１５により固定されている。すなわち、ノズルボディ２中央部の外径に、第１延長ポール５の先端から張り出すように固着されたスリーブを捩じ込んで、固定されている。第１延長ポール５内ではエアホース４が後方へと延びている。
【００１５】
延長ポール部Ｂと固定ポール部Ｃを図３により説明する。延長ポール部は、先端にチップ部を取り付けた第１延長ポール５（図２参照）及び第１の延長ポール５より順次径が大きくなる３本の管からなり順次小径側の管が大径側の管内に引き出し/戻し自在に収納される第２〜４延長ポール６、７、８からなる。固定ポール部は、 第４延長ポール８より径が大きい管からなり第４延長ポールを引き出し/戻し自在に収納する固定ポール９からなる。第１〜４延長ポール５〜８及び固定ポール９は多段ポールを形成する。図３では、第１延長ポール５は固定ポール９から前方に繰り出されており、第２〜４延長ポール６〜８は固定ポール９に収納された状態である。第１延長ポール５を固定ポール９からさらに前方に移動させると、順次に第２、３、４延長ポール６、７、８が固定ポール９から引き出され、全延長ポールが引き出されたときに、多段ポールは最長となる。エアホース４は全延長ポール及び固定ポールの中を通って後方に延びている。各延長ポールは第１延長ポール５先端のノズルを移動するためのガイドであり、またエアホース４を保護するものである。
【００１６】
ポール位置決め部Ｄは、図３、４に示すように、主として固定ポール９の先端部外周に固定されたリング状位置決め金具１１と、位置決め金具１１の外周４等分位置から前方に延びかつ先端がポール軸心方向に曲る４枚の板バネ１２と、板バネ１２先端に取り付けた駒１３とから構成されている。位置決め金具１１は、前部１１ａは外形が四角形で中心部に固定ポール９を嵌入する穴を有し、後部１１ｂは外形が円形でネジが形成され、中心の穴は固定ポール９と隙間を有する径を有している。金具前部１１ａの４角形の各面にはそれぞれ板バネ１２の元端部がネジ止めされている。金具後部１１ｂの内径と固定ポール９の間には、固定ポール９側に筒状ブッシュ１６が、内径側に筒状カラー１７が互いに楔となるように挿入され、ブッシュ１６は後ろから金具後部１１ｂ外形のネジと嵌めあうキャップ１８により押し込まれ、かくして。位置決め金具１１は固定ポール９に固定される。４枚の板バネ１２は、協同してそれぞれの先端にネジ止めされた駒１３により、固定ポール９から繰り出された延長ポールのうち固定ポール９に最寄りのもの(図３では第１延長ポール５を示す)を長さ方向に拘束する。
なお、ここで最寄りと言うのは現実的な意味で、固定ポール９から引き出されても駒１３に達しない延長ポールを除外して、固定ポール９に最も近いものとしている。板バネ１２はその周囲からなんらかの外力がかからないように筒状カバー１９により保護されている。板バネ１２は、上記のように延長ポールを拘束して多段ポール式灰落とし器の長さを決めるとともに、固定ポール９内に全長が収まっている延長ポール(図３では第２〜４延長ポール６〜８)が前方に飛びださないようにストッパーの役目も果たす。すなわち仮にノズルが下向くように灰落とし器を置いても、延長ポール６〜８は板バネ１２の位置で止まり、それ以上自重でずれ落ちることがない。なお、板バネ１２は延長ポールを挟持するために少なくとも２個は必要で、３ないし４個にすれば、より安定に挟持できる。
【００１７】
ところで、先端のノズルが伝熱管に衝突しても、延長ポールが後退することがなく、多段ポール式灰落とし器は、設定した長さに保たれるようにする必要があるが、このための構造として様々な構造が適用できる。例えば、ノズル部から延長ポール部及び固定ポール部を通じて延びるエアホースを固定ポール部後端でクランプするホースクランプ部Ｅとして、ホース留め金具２０を有する構造とし、ノズルホディ２から延長ポール５〜８及び固定ポール９を通じて後方に延び、圧縮エア源に接続するエアホース４を固定ポール部９終端でクランプする。これにより、エアホースは圧縮エアを通すと硬直して棒状になるので、その先端のノズルが伝熱管に衝突しても、延長ポールが後退することがなく、多段ポール式灰落とし器は、設定した長さに保たれる。
【００１８】
その他、固定ポール９の外周には、長手方向２箇所に肩掛け紐（図示なし）を係止する金具２２を設けている。作業者が多段ポール式灰落とし器による作業を行う際に、肩掛け紐を肩に掛けて灰落とし器を持ち上げることにより、作業を容易にすることができる。
【００１９】
また、引き出した延長ポールが抜けないようにする必要があるが、このための構造としても様々な構造が適用できる。例えば、第１延長ポール５は、先端部に図２により説明したようにノズル部をとりつけているが、図５に示すように、後端部にはテーパー状の末広がり縁部５ｂを設けている。第２〜４延長６〜８ポールは先端部に先細り縁部６ａ〜８ａと後端部にはテーパー状の末広がり縁部６ｂ〜８ｂを形成している。固定ポール９にはテーパー状の先細り縁部９ａを形成している。このように縁部を設けることにより、第１延長ポール５から順に残りの延長ポールを手で引き出したとき、第１延長ポール後端の末広がり縁部５ｂが第２延長ポール６前端の先細り縁６ａに接触することにより、第２延長ポール６が引き出され、このように順送りに次の延長ポールを引き出すことができ、また、引き出した延長ポールが抜けるのを防ぐことができる。
【００２０】
図６は本発明の実施形態となる多段ポール式灰落とし器３０を伝熱管３５中に挿入した状態を平面的に示すイメージ図である。灰落とし器３０に近い側の伝熱管３５の灰落としをするときは、延長ポールを全部固定ポール内に収納して灰落とし器３０を使用し、灰落とし器３０から離れた伝熱管３５に対しては第１〜第４延長ポール５〜８を適宜長さになるように固定ポール９内から繰り出して灰落とし器３０を使用する。灰落とし器３０を長くあるいは短く調整する時には、それにつれてエアホース４が前進又は後退するため、まずホース留め金具２０を緩め、長さ調整後に締める。
【図面の簡単な説明】
【００２１】
【図１】本発明の実施形態となる多段ポール式灰落とし器の外観図である。
【図２】多段ポール式灰落とし器先端部のノズルの構造を示す断面図である。
【図３】多段ポール式灰落とし器の多段ポール及びポールのクランプの構造を示す断面図である。
【図４】図３のＡ−Ａ矢視図である。
【図５】多段ポールのつながりを説明する図である。
【図６】多段ポール式灰落とし器をボイラ伝熱管内に挿入した状態を示すイメージ図である。
【符号の説明】
【００２２】
１  ノズルチップ
２  ノズルボディ
３  Ｏリング
４  エアホース
５〜８  延長ポール
９  固定ポール
１１  ポール位置決め金具
１２  板バネ
１３  駒
１５  スリーブ
１６  ブッシュ
１７  カラー
１８  キャップ
１９  カバー
２０  ホース留め金具
３０  多段ポール式灰落とし器
【図１】
2005077000.tif 000003
【図２】
2005077000.tif 000004
【図３】
2005077000.tif 000005
【図４】
2005077000.tif 000006
【図５】
2005077000.tif 000007
【図６】
2005077000.tif 000008